(57)【要約】【課題】撤去ケーブルの荷崩れを防止して、撤去ケーブルの仮置き場所を大幅に狭めるとともに荷崩れ直し作業を不要とし、撤去ケーブルの重量計測および搬出用トラックへの積み込み作業の手間と人手も軽減し、撤去ケーブルの盗難防止作業の手間と人手も軽減することにある。【解決手段】立った状態で支持されるとともに、コイル状の撤去ケーブル６に挿通される支柱２と、前記支柱２の上端部の環状部２ａに一端部を着脱可能に保持されるとともに両端部に連結部４ａ，４ｂを持つ括り線条４とを具えてなる撤去ケーブル整理器１である。【選択図】図２
0003131841.tif 000002
【実用新案登録請求の範囲】
【請求項１】
立った状態で支持されるとともに、コイル状のケーブルに挿通される支柱と、
前記支柱の上端部に少なくとも一端部を着脱可能に保持されるとともに両端部に連結部を持つ括り線条と、
を具えてなる、撤去ケーブル整理器。
【請求項２】
前記支柱を立った状態で支持する、前記コイル状のケーブルの直径に対応する大きさの支持部材を具える、請求項１記載の撤去ケーブル整理器。
【請求項３】
前記支柱は上端部に、前記括り線条の一端部を着脱可能に保持する環状部を有する、請求項１または２記載の撤去ケーブル整理器。
【請求項４】
前記支柱の前記環状部に挿通されるとともに、他の前記支柱の前記環状部または固定構造物に連結されて施錠される盗難防止線条を具える、請求項３記載の撤去ケーブル整理器。
【考案の詳細な説明】
【技術分野】
【０００１】
この考案は、通信ケーブルや各戸用引込み線等のケーブルを撤去した際に、その撤去したケーブルを所定場所に整理して保管しておくのに用いて好適な撤去ケーブル整理器に関するものである。
【背景技術】
【０００２】
古くなった既設の通信ケーブルや各戸引込み線等のケーブルを新しいものに交換したり廃止したりするために、それらのケーブルを撤去する場合があり、かかる場合に従来は、撤去したケーブルをある程度の長さずつコイル状に巻き束ね、それらコイル状の多数のケーブルを所定の仮置き場所に搬入して一旦山積みにし、週内の新規搬入分の重量を毎週一度計測して所定重量分ずつ纏め、搬出用のトラックが来ると、一人の作業員がそれらコイル状のケーブルをフォークリフトのフォークにセットし、他の一人の作業員がフォークリフトを操作してそれらのケーブルをトラックの荷台に上げ、一人がトラックの荷台上でケーブルを整理するというように三人がかりでトラックに積み込んで、所定の引受け場所へ搬出していた。
【考案の開示】
【考案が解決しようとする課題】
【０００３】
しかしながら、上記従来の方法では、山積にしたコイル状のケーブルが荷崩れし易いため広い仮置き場所を必要とし、仮置き場所にトラックの入るスペースを確保するため荷崩れを毎日直す必要があって作業に人手と手間がかかり、重量の計測もコイル状のケーブルを複数まとめて吊り上げる必要があって作業に人手と手間がかかり、さらに搬出用のトラックへの積み込みにも人手と手間がかかるという問題があった。
【０００４】
また、上記従来の方法では、ケーブルの盗難防止のために、山積みにする全てのコイル状のケーブルにチェーンを通してそのチェーンの両端部に施錠するとともに、その山積みにしたケーブル全体をブルーシートで覆う必要があって、作業に人手と手間がかかるという問題もあった。
【課題を解決するための手段】
【０００５】
この考案は、上記課題を有利に解決することを目的とするものであり、この考案の撤去ケーブル整理器は、立った状態で支持されるとともに、コイル状のケーブルに挿通される支柱と、前記支柱の上端部に少なくとも一端部を着脱可能に保持されるとともに両端部に連結部を持つ括り線条と、を具えてなるものである。
【考案の効果】
【０００６】
かかるこの考案の撤去ケーブル整理器によれば、立った状態で支持される支柱の上端部にワイヤ等からなる括り線条の一端部が着脱可能に保持されているので、撤去してある程度の長さずつコイル状に巻き束ねたケーブルを、支柱をコイル状のケーブルが囲むように支柱の周囲に下ろすことで、そのコイル状のケーブルに支柱を挿通するとともに括り線条もコイル状のケーブルに挿通する、ということを複数のコイル状のケーブルについて繰り返し、ある程度の数のコイル状のケーブルが支柱の周囲に積み重ねられたら、その括り線条の他端部の連結部を、支柱の上端部に保持された括り線条の一端部の連結部とともに支柱の上端部に連結して、それらの連結部を一緒に施錠することで、複数のコイル状のケーブルを荷崩れを生じさせずに実質的にそのコイルの直径の領域内に保管するとともに、それらのケーブルの盗難を防止することができる。
【０００７】
そして、上記のようにして支柱の周囲に積み重ねられたある程度の数のコイル状のケーブルを搬出する際には、括り線条の一端部を支柱の上端部から外して、その括り線条の両端部の連結部をクレーン等で吊り上げることにより、ある程度の数のコイル状のケーブルを容易に纏めてトラックの荷台に積載することができる。そしてその吊り上げの際にクレーン等のフックと括り線条の両端部の連結部との間に計量秤を介装すれば、ある程度の数のコイル状のケーブルの重量を容易に纏めて計量することができる。
【０００８】
従ってこの考案の撤去ケーブル整理器によれば、撤去ケーブルの荷崩れを防止し得て、撤去ケーブルの仮置き場所を大幅に狭めるとともに荷崩れ直し作業を不要とすることができ、また、撤去ケーブルの重量計測および搬出用トラックへの積み込み作業の手間と人手も大幅に軽減することができ、さらに、撤去ケーブルの盗難防止作業の手間と人手も大幅に軽減することができる。
【０００９】
なお、この考案の撤去ケーブル整理器においては、前記支柱を立った状態で支持する、前記コイル状のケーブルの直径に対応する大きさの支持部材、例えば８０ｃｍ〜１ｍ程度の直径のコイル状の通信ケーブル用には１ｍ×１ｍの正方形の鋼板、４０ｃｍ〜６０ｃｍ程度の直径のコイル状の引込み線用には６０ｃｍ×６０ｃｍの正方形の鋼板等を具えていると好ましい。このようにすれば、必要最小限の占有スペースで、支柱を移動可能に支持することができるので、支柱を任意の場所に任意の本数配置し得て、撤去ケーブルの仮置き場所を所要に応じて任意の場所に任意の広さで設定することができる。
【００１０】
また、この考案の撤去ケーブル整理器においては、前記支柱は上端部に、前記括り線条の一端部を着脱可能に保持する、例えば逆U字状に曲げた鋼棒を支柱上端部に溶接する等で形成した環状部を有していると好ましい。このようにすれば、簡単に形成し得る環状部で括り線条の一端部を着脱可能に保持するので、括り線条の一端部を着脱可能に保持する支柱を容易かつ安価に製造することができる。
【００１１】
さらに、この考案の撤去ケーブル整理器においては、前記支柱の前記環状部に挿通されるとともに、他の前記支柱の前記環状部または固定構造物に連結されて施錠される、チェーン等からなる盗難防止線条を具えていると好ましい。このようにすれば、複数の支柱を盗難防止線条で互いに連結して施錠したり、支柱を盗難防止線条で固定構造物に連結して施錠したりし得るので、撤去ケーブルの盗難防止効果をさらに高めることができる。
【考案を実施するための最良の形態】
【００１２】
以下、本考案の実施の形態を実施例によって、図面に基づき詳細に説明する。ここに、図１は、この考案の撤去ケーブル整理器の一実施例を示す斜視図、図２は、その実施例の撤去ケーブル整理器でコイル状のケーブルを保管した状態を示す斜視図、図３は、その実施例の撤去ケーブル整理器を複数台並べて盗難防止チェーンで繋いだ状態を示す説明図、そして図４は、その実施例の撤去ケーブル整理器に保管されていたコイル状のケーブルを重量計測しつつ搬出する作業を示す説明図である。なお、図中符号１はこの実施例の撤去ケーブル整理器、２は支柱、３は支持部材としての支持板、４は括り線条としての括りワイヤ、５は盗難防止線条としての盗難防止チェーン、６は撤去ケーブルをそれぞれ示し、また各部の寸法は、あくまで例示するものである。
【００１３】
この実施例の撤去ケーブル整理器１は、図１に示すように、直径７６．３ｍｍ、肉厚４ｍｍの鋼管製の支柱２と、その支柱２の下端部に溶接されて支柱２を立った状態で支持する厚さ９ｍｍの鋼板製の支持板３と、支柱２の上端部に少なくとも一端部を保持される太さ９ｍｍで長さ３ｍのワイヤロープ製の括りワイヤ４とを具えており、支柱２は、コイル状の通信ケーブルに対応する１０００ｍｍの高さのものと、コイル状の引込み線に対応する１３００ｍｍの高さのものとの二種類がある。このように二種類の高さの支柱２を設けたのは、引込み線は通信ケーブルより軽いため通信ケーブルより高く積んでも支柱２が転倒する心配が少ないからである。
【００１４】
また支持板３も、８０ｃｍ〜１ｍ程度の直径のコイル状の通信ケーブルに対応する１ｍ×１ｍの正方形のものと、４０ｃｍ〜６０ｃｍ程度の直径のコイル状の引込み線に対応する６０ｃｍ×６０ｃｍの正方形のものとの二種類がある。このように二種類の支持板３を設けたのは、それぞれのケーブルのコイルを搭載し得る必要最小限の大きさにして占有スペースを減らすためである。そして支持部材としてコイル状のケーブル全体を搭載できる大きさの支持板３を用いたのは、支持板３上に搭載したケーブルが錘になって支柱２の転倒防止を図れるからである。
【００１５】
支柱２の上端部は、支柱２内に雨水が入らないよう閉じられているとともに、括りワイヤ４の一端部を着脱可能に保持するために環状部２ａが設けられており、この環状部２ａは、コイル状の撤去ケーブル６を支柱２の周囲に降ろす際に引っ掛からないように逆U字状に曲げた直径１６ｍｍの鋼棒を支柱２の上端部に溶接することで形成され、その鋼棒の下端部には、コイル状の撤去ケーブル６を支柱２の周囲から引き上げる際に引っ掛からないように例えば溶接肉盛りでテーパ部２ｂが設けられている。
【００１６】
括りワイヤ４の両端部には、通常の加締め金具を用いてループ４ａ，４ｂが形成されており、括りワイヤ４の一端部のループ４ａは、図１に示す状態では、支柱２の上端部の環状部２ａ内に挿通されて、支柱２の上端部に着脱可能に保持されている。
【００１７】
さらにこの実施例の撤去ケーブル整理器１は、図３に示すように、支柱２の上端部の環状部２ａ内に挿通して複数台の撤去ケーブル整理器１を繋ぐことができる、通常の鋼製チェーンからなる盗難防止チェーン５を具えている。
【００１８】
かかる実施例の撤去ケーブル整理器１を、図３に示すように、例えば建物の外壁に沿った所定の仮置き場所に例えば複数配置しておき、その仮置き場所に撤去ケーブル６を搬入する際には、先ず図１に示すように、括りワイヤ４の一端部のループ４ａを支柱２の上端部の環状部２ａ内に挿通して支柱２の上端部で保持するとともに、括りワイヤ４の他端部のループ４ｂを支柱２から離して地面に置いておき、支柱２をループで囲むようにループ状の撤去ケーブル６を支柱２の上から降ろしてそのコイル状の撤去ケーブル６に支柱２を挿通し、次いで図２に示すように、括りワイヤ４の他端部のループ４ｂを撤去ケーブル６のループの外側で持ち上げて、支柱２の上端部の環状部２ａ内に挿通してある一端部のループ４ａに重ね、それらのループ４ａ，４ｂを、通常の錠前７で施錠することで互いに連結するとともに支柱２の上端部の環状部２ａで支持する。これを撤去ケーブル６の搬入の度に繰り返すことにより、複数積上げられたループ状の撤去ケーブル６が、支柱２で支持されて荷崩れを防止されるとともに、括りワイヤ４で括られて支柱２の上端部に繋がれ、施錠されて盗難を防止される。
【００１９】
なお、図示例では括りワイヤ４は一本だが、後述の搬出の際に、撤去ケーブル６としての、コイル状の通信ケーブル（図３では左方奥に示す）よりは小径のコイル状の引込み線（図３では右方手前に示す）を支柱２から容易に引き抜くために、括りワイヤ４を二本具えて、それらの括りワイヤ４の一端部のループ４ａをそれぞれ支柱２の上端部の環状部２ａ内に挿通しておくとともに、それらの括りワイヤ４の他端部のループ４ｂをそれぞれ支柱２の互いに反対側に離して配置しておき、上記と同様にして、支柱２の周囲に積上げたコイル状の撤去ケーブル７をそれらの括りワイヤ４で括っても良い。
【００２０】
そして、一台の撤去ケーブル整理器１の支柱２の上部付近まで撤去ケーブル６が積上がったら、次の撤去ケーブル整理器１に撤去ケーブル６を積上げるというようにして、複数台の撤去ケーブル整理器１にそれぞれ支柱２の上部付近まで撤去ケーブル６が積上がったら、それらの撤去ケーブル整理器１の支柱２の上端部の環状部２ａ内に盗難防止チェーン５を順次に挿通してそれらの撤去ケーブル整理器１を繋ぎ、その盗難防止チェーン５の両端部を図示しない通常の錠前で連結して施錠する。これにより複数台の撤去ケーブル整理器１を連結することができるので、撤去ケーブル６の盗難防止効果をさらに高めることができる。なお、付近に電柱等の固定構造物があれば、そこへ盗難防止チェーン５を掛け回ようにしても良い。
【００２１】
次に、撤去ケーブル整理器１の支柱２の周囲に積上げたコイル状の撤去ケーブル６を搬出する際には、盗難防止チェーン５の両端部を連結する錠前を外して盗難防止チェーン５を支柱２の上端部の環状部２ａから引き抜くとともに、括りワイヤ４の両端部のループ４ａ，４ｂを連結する錠前７を外して括りワイヤ４の一端部のループ４ａを支柱２の上端部の環状部２ａから引き抜いてから、それらのループ４ａ，４ｂを一緒にして、図４に示すように、計量秤８のフックに引っ掛け、上記所定の仮置き場所に横付けにした搬出用トラック９のクレーン等でその計量秤８を介して括りワイヤ４を引き上げることで、支柱２の周囲に積上げたコイル状の撤去ケーブル６を纏めて支柱２から抜き出して吊り上げ、それらコイル状の撤去ケーブル６の重量を計量秤８で計測した後、搬出用トラックの荷台上に積載することができる。
【００２２】
そしてその際、コイル状の通信ケーブルよりは小径のコイル状の引込み線を支柱２から容易に引き抜くために、括りワイヤ４を二本具えている場合には、それらの括りワイヤ４をコイル状の引込み線の周方向に概ね１８０度離間した位置に掛けて引き上げると、コイル状の引込み線を概ね水平に保って引き上げることができるので、コイル状の引込み線が支柱２の表面と摺接して引き上げにくくなるのを防止して、コイル状の引込み線を容易に引き抜くことができる。
【００２３】
従って、この実施例の撤去ケーブル整理器１によれば、撤去ケーブル６の荷崩れを防止し得て、撤去ケーブル６の仮置き場所を大幅に狭めるとともに荷崩れ直し作業を不要とすることができ、また、撤去ケーブル６の重量計測および搬出用トラックへの積み込み作業の手間と人手も大幅に軽減することができ、さらに、撤去ケーブル６の盗難防止作業の手間と人手も大幅に軽減することができる。
【００２４】
以上、図示例に基づき説明したが、この考案は上述の例に限定されるものでなく、例えば、支柱は、仮置き場所の地面に埋設した基礎やコンクリート面等に立設しても良い。また支持部材は、正方形の板の代りに円盤やパイプ製の脚としても良い。さらに、括り線条はチェーンでも良く、一方、盗難防止線条はワイヤでも良い。さらに、支柱の上端部は、環状部の代りに、水平方向の貫通穴等を有していても良く、あるいは錠前自体を設けられていても良い。そして、各部の寸法は、上記例の限定されないことはいうまでもない。
【産業上の利用可能性】
【００２５】
かくしてこの考案の撤去ケーブル整理器によれば、撤去ケーブルの荷崩れを防止し得て、撤去ケーブルの仮置き場所を大幅に狭めるとともに荷崩れ直し作業を不要とすることができ、また、撤去ケーブルの重量計測および搬出用トラックへの積み込み作業の手間と人手も大幅に軽減することができ、さらに、撤去ケーブルの盗難防止作業の手間と人手も大幅に軽減することができる。
【図面の簡単な説明】
【００２６】
【図１】この考案の撤去ケーブル整理器の一実施例を示す斜視図である。
【図２】上記実施例の撤去ケーブル整理器でコイル状のケーブルを保管した状態を示す斜視図である。
【図３】上記実施例の撤去ケーブル整理器を複数台並べて盗難防止チェーンで繋いだ状態を示す説明図、
【図４】上記実施例の撤去ケーブル整理器に保管されていたコイル状のケーブルを重量計測しつつ搬出する作業を示す説明図である。
【符号の説明】
【００２７】
１  撤去ケーブル整理器
２  支柱
２ａ  環状部
２ｂ  テーパ部
３  支持板
４  括りワイヤ
４ａ  一端部のループ
４ｂ  他端部のループ
５  盗難防止チェーン
６  撤去ケーブル
７  錠前
８  計量秤
９  搬出用トラック
【図１】
0003131841.tif 000003
【図２】
0003131841.tif 000004
【図３】
0003131841.tif 000005
【図４】
0003131841.tif 000006